(57)【要約】【課題】高精細な文字を表示する場合において、視認性の良い文字を表示することができるようにし、特に、文字画像を背景画像とともに表示させる際に、文字画像と背景画像との間で滑らかな階調化を行なうことができるようにする。【解決手段】文字情報を取得する情報取得部２１と、文字情報に基づいて文字画像を取得する文字画像取得部２２と、文字画像と背景画像とのうちの少なくとも一方の明るさレベルを、表示部のスペクトル特性に基づいて算出する明るさレベル算出部２３と、算出された明るさレベルに基づいて中間階調情報を生成する階調情報生成部２４と、文字画像および背景画像並びに階調情報生成部２４によって生成された中間階調情報に基づいて、表示部に多階調文字を表示する階調文字表示制御部２４とをそなえるように構成する。【選択図】        図１
2004177887.tif 000002
【特許請求の範囲】
【請求項１】
文字画像を背景画像とともに表示可能な表示部をそなえた表示装置であって、
表示対象の文字に関する情報である文字情報を取得する情報取得部と、
該文字情報に基づいて文字画像を取得する文字画像取得部と、
該文字画像と該背景画像とのうちの少なくとも一方の明るさレベルを、該表示部のスペクトル特性に基づいて算出する明るさレベル算出部と、
前記算出された明るさレベルに基づいて中間階調情報を生成する階調情報生成部と、
該文字画像および該背景画像並びに該階調情報生成部によって生成された中間階調情報に基づいて、該表示部に多階調文字を表示する階調文字表示制御部とをそなえることを特徴とする、表示装置。
【請求項２】
背景画像とともに表示部に表示する多階調文字を生成可能な文字画像生成装置であって、
表示対象の文字に関する情報である文字情報を取得する情報取得部と、
該文字情報に基づいて文字画像を取得する文字画像取得部と、
該文字画像と該背景画像とのうちの少なくとも一方の明るさレベルを、該表示部のスペクトル特性に基づいて算出する明るさレベル算出部と、
前記算出された明るさレベルに基づいて中間階調情報を生成する階調情報生成部と、
該文字画像および該背景画像並びに該階調情報生成部によって生成された中間階調情報に基づいて、前記表示部に表示する多階調文字を生成する階調文字生成部とをそなえることを特徴とする、文字画像生成装置。
【請求項３】
文字画像を背景画像とともに表示部に表示する文字画像表示プログラムであって、
表示対象の文字に関する情報である文字情報を取得する情報取得ステップと、
該文字情報に基づいて文字画像を取得する文字画像取得ステップと、
該文字画像と該背景画像とのうちの少なくとも一方の明るさレベルを、該表示部のスペクトル特性に基づいて算出する明るさレベル算出ステップと、
前記算出された明るさレベルに基づいて中間階調情報を生成する階調情報生成ステップと、
該文字画像および該背景画像並びに該中間階調情報に基づいて、該表示部に多階調文字を表示する階調文字表示制御ステップとを、コンピュータに実行させることを特徴とする、文字画像表示プログラム。
【請求項４】
文字画像を背景画像とともに表示部に表示する文字画像表示機能をコンピュータに実行させるための文字画像表示プログラムを記録したコンピュータ読取可能な記録媒体であって、
該文字画像表示プログラムが、
表示対象の文字に関する情報である文字情報を取得する情報取得ステップと、
該文字情報に基づいて文字画像を取得する文字画像取得ステップと、
該文字画像と該背景画像とのうちの少なくとも一方の明るさレベルを、該表示部のスペクトル特性に基づいて算出する明るさレベル算出ステップと、
前記算出された明るさレベルに基づいて中間階調情報を生成する階調情報生成ステップと、
該文字画像および該背景画像並びに該中間階調情報に基づいて、該表示部に多階調文字を表示する階調文字表示制御ステップとを、該コンピュータに実行させることを特徴とする、文字画像表示プログラムを記録したコンピュータ読取可能な記録媒体。
【請求項５】
文字画像を背景画像とともに表示部に表示する文字画像表示方法であって、
表示対象の文字に関する情報である文字情報を取得する情報取得ステップと、
該文字情報に基づいて文字画像を取得する文字画像取得ステップと、
該文字画像と該背景画像とのうちの少なくとも一方の明るさレベルを、該表示部のスペクトル特性に基づいて算出する明るさレベル算出ステップと、
前記算出された明るさレベルに基づいて中間階調情報を生成する階調情報生成ステップと、
該文字画像および該背景画像並びに該中間階調情報に基づいて、該表示部に多階調文字を表示する階調文字表示制御ステップとをそなえることを特徴とする、文字画像表示方法。
【発明の詳細な説明】
【０００１】
【発明の属する技術分野】
本発明は、例えば、Ｒ（赤），Ｇ（緑），Ｂ（青）の矩形表示サブエレメントをそなえたカラー液晶ディスプレイ装置における高精細な文字（細かい文字）の表示に用いて好適な、表示装置，文字画像生成装置，文字画像表示プログラム，文字画像表示プログラムを記録したコンピュータ読取可能な記録媒体および文字画像表示方法に関する。
【０００２】
【従来の技術】
近年、液晶カラーディスプレイ装置に代表されるフラットパネルタイプの表示装置（パーソナルコンピュータ）は、その軽量化が進むにつれて携帯利用が主体となりつつある。このような状況の下において、より小さい画面で高精細な文字の表示およびカラー画像表示が求められている。
【０００３】
例えば、書籍や新聞、雑誌等の文書コンテンツにおいては、コンテンツ制作者の独自性をアピールするために独自の文字画像（フォント）を用いる場合も多いが、このような紙面用に作成されたフォントは、一般に、１００ＰＰＩ（Ｐｉｘｅｌ  Ｐｅｒ  Ｉｎｃｈ）程度の解像度では有効に表示させることができない。
また、書籍や雑誌等のコンテンツにおいては、日本語を表示する場合に、注釈やルビを表示することが必須条件である。ルビは、おおよそ本文の表示サイズの半分以下のサイズ（例えば、本文が１２ポイントの場合には６ポイント以下）で表示される。
【０００４】
このようなルビを表示装置によって表示するためには、少なくとも１８０ＰＰＩ（Ｐｉｘｅｌ  ｐｅｒ  ｉｎｃｈ）程度の解像度が必要とされる。しかしながら、携帯端末において液晶ディスプレイに代表されるフラットパネル型のカラーディスプレイをそのまま利用しても上述した高解像度を達成することは難しい。
例えば特許文献１には、Ｎ個の表示サブエレメントを１画素に対応させて表示を行なう表示装置において、各表示サブエレメントを１以上の画素に対応させて表示対象の表示を行なわせることにより、高精細な文字を表示する場合においても、視認性の良い文字を表示させる手法が開示されている。
【０００５】
また、例えば特許文献２には、ディスプレイにギザギザの目立たない多階調文字を高速に出力するための手法が開示されている。
【０００６】
【特許文献１】
特開２００２−９１３６９号公報
【特許文献２】
特開平５−４０４６３号公報（第３−７頁）
【０００７】
【発明が解決しようとする課題】
しかしながら、上述の如き従来の文字画像表示手法においては、文字色の明度と背景色の明度とを考慮せずに階調化を行なうので、例えば、文字を色付きの背景画像とともに表示させる場合に、文字の縁辺の階調部分が背景よりも明るくなる場合があり、これにより、文字と背景との間で滑らかな階調化を行なうことができず、文字画像が背景画像から浮き上がって見えることがある。
【０００８】
図１９は従来の文字画像表示手法による文字画像の表示例を示す図であり、色付きの背景画像とともに文字を表示させた例を示す図である。従来の文字画像表示手法においては、この図１９に示すように、色付きの背景画像とともに文字を表示させた場合に、文字画像の縁辺部分が明るく表示され、文字と背景との間において滑らかな階調化を行なうことができずに、文字画像の品質が低下する場合がある。
【０００９】
また、同様に、色付きの文字を表示する場合においても、文字の色成分（明度）とは無関係に階調を作成するので、文字部分と階調部分とが滑らかに接合せず、文字画像の品質が低下する場合がある。
本発明は、このような課題に鑑み創案されたもので、高精細な文字を表示する場合において、視認性の良い文字を表示することができるようにし、特に、文字画像を背景画像とともに表示させる際に、文字画像と背景画像との間で滑らかな階調化を行なうことが可能な、表示装置，文字画像生成装置，文字画像表示プログラム，文字画像表示プログラムを記録したコンピュータ読取可能な記録媒体および文字画像表示方法を提供することを目的とする。
【００１０】
【課題を解決するための手段】
このため、本発明の表示装置（請求項１）は、文字画像を背景画像とともに表示可能な表示部をそなえた表示装置であって、表示対象の文字に関する情報である文字情報を取得する情報取得部と、文字情報に基づいて文字画像を取得する文字画像取得部と、文字画像と背景画像とのうちの少なくとも一方の明るさレベルを、表示部のスペクトル特性に基づいて算出する明るさレベル算出部と、算出された明るさレベルに基づいて中間階調情報を生成する階調情報生成部と、文字画像および該背景画像並びに階調情報生成部によって生成された中間階調情報に基づいて、表示部に多階調文字を表示する階調文字表示制御部とをそなえることを特徴としている。
【００１１】
また、本発明の文字画像生成装置（請求項２）は、背景画像とともに表示部に表示する多階調文字を生成可能な文字画像生成装置であって、表示対象の文字に関する情報である文字情報を取得する情報取得部と、文字情報に基づいて文字画像を取得する文字画像取得部と、文字画像と背景画像とのうちの少なくとも一方の明るさレベルを、表示部のスペクトル特性に基づいて算出する明るさレベル算出部と、算出された明るさレベルに基づいて中間階調情報を生成する階調情報生成部と、文字画像および背景画像並びに階調情報生成部によって生成された中間階調情報に基づいて、表示部に表示する多階調文字を生成する階調文字生成部とをそなえることを特徴としている。
【００１２】
さらに、本発明の文字画像表示プログラム（請求項３）は、文字画像を背景画像とともに表示部に表示する文字画像表示プログラムであって、表示対象の文字に関する情報である文字情報を取得する情報取得ステップと、文字情報に基づいて文字画像を取得する文字画像取得ステップと、文字画像と背景画像とのうちの少なくとも一方の明るさレベルを、表示部のスペクトル特性に基づいて算出する明るさレベル算出ステップと、算出された明るさレベルに基づいて中間階調情報を生成する階調情報生成ステップと、文字画像および背景画像並びに中間階調情報に基づいて、表示部に多階調文字を表示する階調文字表示制御ステップとを、コンピュータに実行させることを特徴としている。
【００１３】
また、本発明の文字画像表示プログラムを記録したコンピュータ読取可能な記録媒体（請求項４）は、上述した文字画像表示プログラムを記録したものである。
さらに、本発明の文字画像表示方法（請求項５）は、文字画像を背景画像とともに表示部に表示する文字画像表示方法であって、表示対象の文字に関する情報である文字情報を取得する情報取得ステップと、文字情報に基づいて文字画像を取得する文字画像取得ステップと、文字画像と背景画像とのうちの少なくとも一方の明るさレベルを、表示部のスペクトル特性に基づいて算出する明るさレベル算出ステップと、算出された明るさレベルに基づいて中間階調情報を生成する階調情報生成ステップと、文字画像および背景画像並びに中間階調情報に基づいて、表示部に多階調文字を表示する階調文字表示制御ステップとをそなえることを特徴としている。
【００１４】
【発明の実施の形態】．
以下、図面を参照して本発明の実施の形態を説明する。
（Ａ）第１実施形態の説明
図１〜図３は本発明の第１実施形態としての表示装置を示すもので、図１はその機能構成を示すブロック図、図２はそのハードウェア構成を示すブロック図、図３はその表示部を拡大して示す図である。
【００１５】
本第１実施形態の表示装置１ａは、例えば、コンピュータシステム等にそなえられ、文字画像を背景画像とともに表示するものであって、図１に示すように、表示部２および文字画像生成部（文字画像生成装置）２０ａをそなえて構成されている。
表示部２は、表示対象である文字画像等を表示する表示装置であって、例えばカラー液晶ディスプレイによって実現され、図３に示すように、複数の表示エレメント１００を縦方向（図３中における上下方向）および横方向（図３中における左右方向）にくり返し配置することによって構成されている。
【００１６】
各表示エレメント１００は、それぞれ複数（Ｎ個；本実施形態では、赤（Ｒ：Ｒｅｄ），緑（Ｇ：Ｇｒｅｅｎ），青（Ｂ：Ｂｌｕｅ）の３種類の表示サブエレメント、つまりＮ＝３）の矩形表示サブエレメント１０を、その長手方向（例えば図３中における上下方向）を所定の配列方向（例えば図３中における左右方向）に直交させた状態で配列方向へ、所定の順番（図３に示す例では、左からＲ，Ｇ，Ｂの順番）で並べることにより構成されている。
【００１７】
すなわち、表示部２は、多数の矩形表示サブエレメント（表示サブエレメント）１０によって構成され、Ｎ個（本実施形態ではＮ＝３）の矩形表示サブエレメント１０が、その長手方向を所定の配列方向に直交させた状態で配列方向へ、くり返し連続的に配列されているのである。
文字画像生成部２０ａは、背景画像とともに表示部に表示する多階調文字を生成可能なものであって、図１に示すように、情報取得部２１，画像取得部（文字画像取得部）２２，明るさレベル算出部２３，階調情報生成部２４および表示制御部（階調文字表示制御部）２６をそなえて構成されている。
【００１８】
表示制御部（階調文字表示制御部）２６は、表示部２の各表示サブエレメント１０を制御して表示部２での表示状態を制御するものである。例えば、表示制御部２６は、表示部２が透過型のカラー液晶ディスプレイの場合には、そのカラー液晶ディスプレイを構成する各表示サブエレメント１０の発光状態を制御することによりその表示状態を制御するようになっており、又、反射型のカラー液晶ディスプレイの場合にはその反射状態を制御することによりその表示状態を制御するようになっている。
【００１９】
また、表示制御部２６は、文字画像および背景画像並びに階調情報生成部２４によって生成された中間階調情報に基づいて、表示部２に多階調文字を表示するための種々の制御を行なう階調文字表示制御部として機能するようになっている。
なお、本発明においては、表示部２の表示形態は特に限定するものではなく、本発明の趣旨を逸脱しない範囲で種々変形して実施することができる。
【００２０】
また、表示制御部２６は、各表示サブエレメント１０を１以上の画素（本実施形態では図５（ａ）に示すごとく３個の画素）に対応させ、Ｎ個の表示サブエレメント１０により複数画素分（本実施形態では９画素分）の表示を行なわせるようになっている。
本第１実施形態の表示制御部２６は、各矩形表示サブエレメント１０を、配列方向と直交する方向（長手方向）に連続するＭ個（本実施形態ではＭ＝３）の画素に対応させ、Ｎ個の矩形表示サブエレメント１０によりＭ×Ｎ（本実施形態では３×３）のマトリックス状画素群を表示させるようになっている。
【００２１】
また、表示制御部２６は、通常文字画像情報取得部４とエレメント輝度値算出部５とをそなえて構成されている。
通常文字画像情報取得部４は、文字画像における文字サイズに対し長手方向にＭ倍かつ配列方向にＮ倍のサイズの同一文字を、Ｎ個の表示サブエレメント１０により１画素分の表示を行なわせる通常表示モードで表示するための通常文字画像情報を取得するものである。
【００２２】
エレメント輝度値算出部５は、通常文字画像情報取得部４により取得された通常文字画像情報に含まれる、長手方向に連続するＭ個の画素からなる画素列毎に、一の矩形表示サブエレメント１０を対応させ、Ｍ個の画素のそれぞれに与えられた画素値に基づいて一の矩形表示サブエレメント１０に対する輝度値を算出するものである。
【００２３】
また、エレメント輝度値算出部５は、Ｍ個の画素のそれぞれに与えられた画素値の平均値を算出し、この平均値に基づいて一の矩形表示サブエレメント１０に対する輝度値を算出するようになっている。
そして、表示制御部２６は、エレメント輝度値算出部５によって算出された輝度値に従って各矩形表示サブエレメント１０を制御し、文字画像を成す各文字を前述した文字サイズで表示部２に表示させるようになっている。
【００２４】
情報取得部２１は、表示対象の文字に関する情報（例えば、文字画像を特定するための情報）である文字情報や、背景画像に関する情報である背景情報を取得するものであって、例えば、キーボード（図２の符号１１ｂ参照）やマウス等の入力装置から入力されたデータや、文書ファイル（図２の符号１１ａ参照）として形成されたデータから文字情報（例えば、文字コードや文字色，背景色，アウトラインデータ等の情報）を取得するようになっている。なお、情報取得部２１は、文字のプロパティ（例えばフォント色情報やテキスト情報等）を文字情報として取得してもよい。
【００２５】
画像取得部（文字画像取得部）２２は、情報取得部２１によって取得された文字情報に基づいて文字画像を取得するものであって、フォントメモリ（図２の符号１３ａ参照）に予め登録された文字画像を取得して、メモリ空間（一時記憶メモリ；画像メモリ１３ｂ（図２参照））に展開するようになっている。なお、文字画像取得部２２は、上述した文字情報がアウトラインデータである場合には、ラスタライズを行なってラスタデータに展開して一時記憶メモリに展開するようになっている。
【００２６】
また、画像取得部２２は、情報取得部２１によって取得された背景情報に基づいて、背景画像も取得するようになっており、背景画像取得部としても機能するようになっている。
明るさレベル算出部２３は、文字画像と背景画像とのうちの少なくとも一方の明るさレベルを、表示部２のスペクトル特性に基づいて、以下に示す式（１）〜（３）を用いて算出するものであり、本第１実施形態においては、画像取得部２２によって取得した文字画像と背景画像との両方の明るさレベルをそれぞれ算出するようになっている。
【００２７】
赤（Ｒ：Ｒｅｄ），緑（Ｇ：Ｇｒｅｅｎ），青（Ｂ：Ｂｌｕｅ）の３色の表示サブエレメントからなるカラーディスプレイにおける各表示サブエレメントのデジタル値（０〜２５５の任意の整数）をそれぞれＲ，Ｇ，Ｂ、ＸＹＺ表色系のＹ刺激値をＹとした場合に、明るさレベル（明度値，光源系をそなえる表示装置における発光輝度）Ｌ＊は、
Ｌ＊＝１１６×（Ｙ／Ｙ０）１／３−１６                                      ・・・（１）
Ｙ＝ｐＲ＋ｑＧ＋ｒＢ                                                                ・・・（２）
として求めることができる。ただし、Ｙ０＝１．０である。
【００２８】
また、式（２）におけるｐ，ｑ，ｒはそれぞれ定数であって、表示部（カラー液晶表示器）２のスペクトル特性により変化するものである。そして、表示部２が、ｓＲＧＢ規格に準拠する液晶表示装置である場合には、以下の式（３）に示す関係が成り立つ。
ｐ：ｑ：ｒ＝０．２１２６：０．７１５２：０．０７２２            ・・・（３）
これにより、ＲＧＢエレメントに影響されることなく、文字色および背景色の表示輝度を明るさレベルに換算して表示することができるのである。
【００２９】
表示対象の文字が複数の文字色をそなえており、部分的に異なる色をそなえる場合には、明るさレベル算出部２３は、文字画像における背景画像との縁辺部付近の明るさレベルを算出するようになっている。同様に、背景画像が複数の色をそなえ、部分的に異なる場合には、明るさレベル算出部２３は、背景画像における文字画像との境界付近の明るさレベルを算出してもよく、又、背景画像における明るさレベルの平均値を算出して、その背景画像の明るさレベルとして採用してもよい。
【００３０】
階調情報生成部２４は、明るさレベル算出部２３によって算出された明るさレベルに基づいて中間階調情報を生成するものである。この階調情報生成部２４は、明るさレベル算出部２３によって算出された文字画像の明るさレベルを一端値とするとともに、同じく明るさレベル算出部２３によって算出された背景画像の明るさレベルを他端値として、これらの一端値と他端値との間を階調化することにより中間階調情報（中間階調画像）を生成するようになっている。又、階調情報生成部２４は、中間階調情報を作成する際には、文字画像に対して平滑化処理を行なうようになっている。
【００３１】
なお、階調情報生成部２４による階調化処理を数学的に示すと、画素の表示値（デジタル値）を、以下の式に示すように、表示対象の画素の階調値を背景画像の明度値（ダイナミックレンジ）に基づいて補正（階調補正）することにより算出することもできる。
表示値＝画素の階調値×背景画像の明度値／背景色の明度の最大値
例えば、平滑化処理を行なった後の表示対象の画素の階調値が１００であり、背景画像の明度値が２００である場合には、その画素の表示値（デジタル値）を、
１００×２００／２５５＝７８
として算出することができるのである。
【００３２】
なお、中間階調情報（階調処理）の具体的な手法としては、公知の種々の手法を用いることができる。
本実施形態の表示装置１ａ（１ｂ，１ｃ，１ｄ，１ｅ，１ｆ，１ｇ，１ｈ）のより具体的な構成を図２に示す。この図２に示すように、表示装置１ａは、文字入力手段１１，計算手段１２，記憶装置１３および表示器１４をそなえて構成されている。
【００３３】
ここで、表示器１４は、図１に示す表示部２に対応するもので、図３に示すように、本来、１画素毎に、Ｒ（赤），Ｇ（緑），Ｂ（青）の表示に供する３色の矩形表示サブエレメント（以下、単に表示サブエレメントという）１０をそなえて構成されたカラー画像表示可能なものである。この表示器１４としては、例えばカラー液晶ディスプレイ等を用いることができる。
【００３４】
この表示器１４は、これらの各矩形表示サブエレメント１０の長手方向（図３中の上下方向；以下、長手方向という）を所定の配列方向（図３中の左右方向；以下、配列方向という）に直交させた状態で、この配列方向に連続的に、例えばＲ，Ｇ，Ｂ，Ｒ，Ｇ，Ｂ…の順序で規則的に配列されている。又、この表示器１４における長手方向には、それぞれ同一種類の表示サブエレメント１０が直列に配列されている。
【００３５】
そして、この表示器１４は画像メモリ１３ｂに展開（格納）された文字画像を表示するようになっており、計算手段１２によって制御されるようになっている。
文字入力手段１１は、表示器１４に表示させる文字を特定する文字コードを入力するためのものであり、例えば、文字コード情報を記憶した文書ファイル１１ａやキーボード１１ｂ等によって構成されている。この文字入力手段１１は、コンピュータシステムにおけるキーボード，マウスやフレキシブルディスクおよびフレキシブルディスクドライブ等に相当するものである。
【００３６】
記憶装置１３は、フォントメモリ１３ａおよび画像メモリ１３ｂをそなえて構成されている。フォントメモリ１３ａは通常文字画像情報を記憶するものであり、コンピュータシステムにおけるハードディスクやメモリ等の種々の記憶装置に相当するものである。この通常文字画像情報は、本表示装置１ａにおいて３個の矩形表示サブエレメント１０により１画素分の表示を行なう際に用いられる文字画像情報であって、例えば、文字を特定するための文字コードに対応させて、フォントサイズ（文字画像サイズ；例えば５ポイント等）やフォント種類（例えば明朝，ゴシック等），文字飾りの有無等からなるフォント情報をそなえて構成されている（図６参照）。そして、これらの文字画像情報はあらかじめフォントメモリ１３ａに格納されている。
【００３７】
画像メモリ１３ｂは、フォントメモリ１３ａから呼び出された通常文字画像情報を一時的に記憶（展開）するものであり、コンピュータシステムにおけるメモリに相当するものである。
また、この画像メモリ１３ｂには、後述する文字画像生成部１２ｂによって生成された（多階調処理が行なわれた）文字画像も展開されるようになっており、画像メモリ１３ｂは多階調メモリとしても機能するようになっている。
【００３８】
さらに、記憶装置１３には、表示部のスペクトル特性に関する情報が表示器スペクトル情報１３ｃとして記憶され、又、表示対象の文字画像における背景色や文字色に関する情報が、背景色，文字色情報１３ｄとして記憶されるようになっている。
なお、本実施形態においては、画像メモリ１３ｂが多階調メモリとしても機能するようになっているが、それに限定するものではなく、画像メモリ１３ｂの他に多階調メモリをそなえて構成してもよい。
【００３９】
計算手段１２は種々の計算を行なうものであり、コンピュータシステムにおけるＣＰＵに相当するものである。そして、この計算手段１２が前述した文字画像生成部２０ａ（２０ｅ，２０ｆ，２０ｇ，２０ｈ）に相当するものである。
また、計算手段１２は、文字入力手段１１から入力された文字コードに基づいて、フォントメモリ１３ａから表示対象の文字画像の文字サイズを取得するようになっている。この計算手段１２はフォント選択部１２ａ，文字画像作成部１２ｂおよび階調化処理部１２ｃをそなえて構成されている。フォント選択部１２ａは、文字入力手段１１によって入力された文字コードに基づいて、所定の文字画像（通常文字画像情報）をフォントメモリ１３ａから呼び出すものであり、前述した通常文字画像情報取得部４に相当するものである。
【００４０】
フォント選択部１２ａは、文字入力手段１１によって表示を指示された文字について、その文字画像における文字サイズに対し長手方向にＭ倍かつ配列方向にＮ倍のサイズの同一文字を通常表示モードで表示するための通常文字画像情報を取得するようになっている。なお、以下、本実施形態においては、Ｍ＝Ｎ＝３の場合について説明する。
【００４１】
フォント選択部１２ａは、文字入力手段１１によって表示器１４に表示を指示された文字について、その文字コードに基づいて文字サイズ（例えば５ポイント）情報を取得し、この入力された文字の文字サイズに対し、長手方向および配列方向にそれぞれ３倍のサイズ（１５ポイント）の同一文字の文字画像情報を、フォントメモリ１３ａから取得し、この取得した文字画像を画像メモリ１３ｂに展開するようになっている。
【００４２】
階調化処理部１２ｃは、文字の縁辺部を階調化するものであって、文字画像における縁辺部の明るさレベルおよび背景画像の明るさレベルによって指定された明るさレベルを端値として、文字画像の縁辺部を階調化して中間階調画像を生成するようになっており、前述した階調情報生成部２４として機能するものである。
【００４３】
また、この階調化処理部１２ｃ（明るさレベル算出部２３）は、記憶装置１３に記憶された表示器スペクトル情報１３ｃに基づいて、文字画像および背景画像の明るさレベルを算出するようになっている。
さらに、階調化処理部１２ｃ（明るさレベル算出部２３）は、記憶装置１３に記憶された背景色，文字色情報１３ｄを用いて、文字画像および背景画像の明るさレベルを算出するようになっている。
【００４４】
文字画像生成部１２ｂは、表示器１４に表示させるための文字画像を生成するものであり、フォント選択部１２ａが取得した文字画像や、階調化処理部１２ｃが生成した中間階調画像を表示器１４に表示させるため、表示器１４の各表示サブエレメント１０に対する輝度値を算出するようになっている。
文字画像生成部１２ｂは、精細表示モードで表示器１４に文字を表示させるものであり、フォント選択部１２ａが取得した、表示させる文字の３倍のサイズの文字画像（通常文字画像情報）を画像メモリ１３ｂに展開した後、エレメント輝度値算出部５が、フォント選択部（通常文字画像情報取得部４）１２ａが取得した通常文字画像情報に含まれる、長手方向に連続する３個の画素からなる画素列毎に、一の表示サブエレメント１０を対応させ、３個の画素のそれぞれに与えられた画素値に基づいて一の表示サブエレメント（矩形表示サブエレメント）１０に対する輝度値を算出するようになっている。
【００４５】
そして、文字画像生成部１２ｂは、各表示サブエレメント１０を、配列方向と直交する方向（長手方向）に連続する３個の画素に対応させ、３個の表示サブエレメント１０により３×３のマトリックス状画素群を表示させるようになっている。
ここで、文字画像生成部１２ｂが表示器１４に表示対象である文字画像を表示させる制御手法について図を用いて説明する。図４および図５はともに文字画像生成部１２ｂが文字画像を表示させるための制御手法を説明するための図であり、図４は作成する文字画像と使用する通常文字画像とを比較して示す図、図５（ａ），（ｂ）は本発明の第１実施形態としての表示装置における座標変換手法を説明するための図で、図５（ａ）は文字画像を構成する各画素の座標を示す図、図５（ｂ）は各表示サブエレメント１０の表示座標を示す図である。
【００４６】
フォント選択部１２ａは、図４に示すように、計算されたサイズの文字画像、すなわち、表示する文字画像に対して３倍の文字画像をフォントメモリ１３ａから呼び出す。呼び出された文字画像は一時的に画像メモリ１３ｂに展開される。次に、文字画像生成部１２ｂが、この画像メモリ１３ｂに展開された文字画像および、階調化処理部１２ｃによって生成された中間階調画像を表示サブエレメント１０に表示させるために、座標変換演算やＲ，Ｇ，Ｂの各表示サブエレメント１０に対する輝度値の算出等を行なう。
【００４７】
ここで、文字画像生成部１２ｂが表示対象の文字画像および中間階調画像（以下、単に文字画像という）を表示サブエレメント１０に表示させる為の処理を、図５を用いてより詳細に説明する。
文字画像生成部１２ｂは、先ず、Ｒ，Ｇ，Ｂの各表示サブエレメント１０の配列方向と直交する方向、すなわち、長手方向に連続する３個の画素からなる画素列毎の画素値を平均化する。
【００４８】
例えば、図５（ａ）において、座標（ｍ，ｎ−１）に位置する画素値をＰｍ  ｎ−１，座標（ｍ，ｎ）に位置する画素の画素値をＰｍ  ｎ，座標（ｍ，ｎ＋１）に位置する画素の画素値をＰｍ  ｎ＋１と表示する場合に、これらの３画素の平均値Ｐ′を以下の式により算出する。
Ｐ′  ＝  （Ｐ  ｍ  ｎ−１  ＋Ｐ  ｍ  ｎ  ＋Ｐ  ｍ  ｎ＋１  ）／３
なお、３画素の平均値Ｐ′について、Ｒの表示サブエレメント１０に対応する３画素の平均値を示す場合には、符号Ｐ′に符号“Ｒ”を添えて符号Ｐ′Ｒ，として示す。同様にして、Ｇの表示サブエレメント１０に対応する３画素の平均値を符号Ｐ′Ｇ，Ｂの表示サブエレメント１０に対応する３画素の平均値を符号Ｐ′Ｂを用いてそれぞれ示すと、各画素の平均値Ｐ′Ｒ，Ｐ′Ｇ，Ｐ′Ｂは、それぞれ以下の式によって表わすことができる。
【００４９】
Ｐ′Ｒ  ＝  （Ｐ  ｍ−１  ｎ−１  ＋Ｐ  ｍ−１  ｎ  ＋Ｐ  ｍ−１  ｎ＋１  ）／３
Ｐ′Ｇ  ＝  （Ｐ  ｍ  ｎ−１  ＋Ｐ  ｍ  ｎ  ＋Ｐ  ｍ  ｎ＋１  ）／３
Ｐ′Ｂ  ＝  （Ｐ  ｍ＋１  ｎ−１  ＋Ｐ  ｍ＋１  ｎ  ＋Ｐ  ｍ＋１  ｎ＋１  ）／３
文字画像生成部１２ｂは、算出した３画素毎の平均画素値（図５（ａ）参照）をそれぞれ表示サブエレメント１０（図５（ｂ）参照）に対応させることにより、算出した３画素分の平均値Ｐ′を一の表示サブエレメント１０の座標に変換する（以下、座標変換演算という）。
【００５０】
例えば、図５（ａ），（ｂ）においては、座標（ｍ，ｎ−１），（ｍ，ｎ）および（ｍ，ｎ＋１）に位置する３つの画素を（ｕ，ｖ）に位置するＧの表示サブエレメント１０を用いて表示する。
その後、文字画像生成部１２ｂは、（ｕ，ｖ）に位置するＧの表示サブエレメント１０の輝度値ＱＧを、以下の式により示す。
【００５１】
ＱＧ（ｕ，ｖ）＝  ＦＧ（Ｐ′Ｇ）
ただし、ｕ＝ｍ，ｖ＝ＩＮＴ（ｎ／３）である。なお、ＩＮＴ（α）はαの整数部を示す。又、Ｆは輝度値変換のための関数であって、例えば、Ｆ（ｘ）＝αｘ＋βのごとく一次関数によって表わされるものである。ここで、βはオフセットを、又、αは増幅率をそれぞれ示すものとする。
【００５２】
Ｒの表示サブエレメント１０およびＢの表示サブエレメント１０についても同様にして、それぞれ以下の式により輝度値を算出する。
ＱＲ（ｕ−１，ｖ）＝  ＦＲ（Ｐ′Ｒ）  ただし、ｕ＝ｍ，ｖ＝ＩＮＴ（ｎ／３）
ＱＢ（ｕ＋１，ｖ）＝  ＦＢ（Ｐ′Ｂ）  ただし、ｕ＝ｍ，ｖ＝ＩＮＴ（ｎ／３）
また、画素値ＱＲ（ｕ，ｖ），ＱＧ（ｕ，ｖ），ＱＢ（ｕ，ｖ）は、それぞれ以下のように表わすこともできる。
表示エレメント１００の座標を（Ｓ，Ｔ）とすると、
ＱＲ（ｕ−１，ｖ）＝Ｐ′Ｒ（ｕ＝３Ｓ＋１，ｖ＝Ｔ）
ＱＧ（ｕ，ｖ）＝Ｐ′Ｇ（ｕ＝３Ｓ＋１，ｖ＝Ｔ）
ＱＢ（ｕ＋１，ｖ）＝Ｐ′Ｂ（ｕ＝３Ｓ＋１，ｖ＝Ｔ）
なお、この図５（ａ），（ｂ）において示す実施形態においては、座標（ｍ，ｎ−１），（ｍ，ｎ）および（ｍ，ｎ＋１）に位置する３つの画素を（ｕ，ｖ）に位置するＧの表示サブエレメント１０を用いて表示しているが、これに限定するものではない。
【００５３】
例えば、座標（ｍ，ｎ−２），（ｍ，ｎ−１）および（ｍ，ｎ）に位置する３画素を（ｕ，ｖ）に位置するＧの表示サブエレメント１０を用いて表示したり、座標（ｍ，ｎ），（ｍ，ｎ＋１）および（ｍ，ｎ＋２）に位置する３つの画素を（ｕ，ｖ）に位置するＧの表示サブエレメント１０を用いて表示したりしてもよく、又、これらの画素を（ｕ−１，ｖ）に位置するＲの表示サブエレメント１０や（ｕ＋１，ｖ）に位置するＢの表示サブエレメント１０を用いて表示してもよく、本発明の趣旨を逸脱しない範囲で種々変形して実施することができる。
【００５４】
上述のようにして、文字画像生成部１２ｂ（エレメント輝度値算出部５）が各表示サブエレメント１０に対する輝度値を算出し、この算出した輝度値に従って、計算手段１２（表示制御部２６）が各表示サブエレメント１０を制御することにより、文字画像を成す文字が表示器１４に表示される。
上述のごとく構成された本発明の第１実施形態としての表示装置１ａにおける計算手段１２の処理を、図６に示すフローチャート（ステップＡ１０〜Ａ１００）に従って説明する。
【００５５】
文字入力手段１１によって表示対象の文字を特定する文字コードが入力されると（ステップＡ１０）、フォント選択部１２ａが入力された文字コードに基づいて、表示対象の文字についてのフォントサイズに関する情報を取得する。
そして、フォント選択部１２ａは、表示対象である文字画像の文字サイズ（例えば５ポイント）に対し、長手方向および配列方向にそれぞれ３倍のサイズ（例えば１５ポイント）を求め（ステップＡ２０）、この算出したサイズの同一文字についての文字画像をフォントメモリ１３ａから呼び出して画像メモリ１３ｂに展開する（ステップＡ３０）。なお、情報取得部２１によって取得された文字情報がアウトラインデータである場合には、ラスタライズを行なってラスタデータに展開して画像メモリ１３ｂに展開する。
【００５６】
次に、表示制御部２６（文字画像生成部１２ｂ）が、画像メモリ１３ｂに展開された文字画像について、その文字画像を構成する各画素について、長手方向に連続する３個の画素からなる画素列毎に、その明るさレベル（表示輝度）を加算して平均画素値の算出（正規化）等を行ない、矩形表示サブエレメント１０による表示を行なうための演算を行なう（ステップＡ４０）。
【００５７】
明るさレベル算出部２３が、背景画像における少なくとも文字画像の縁辺部に隣接する部分の明るさレベル（明度値，輝度値）を、前述の式（１）〜（３）に基づいて算出する（ステップＡ５０）。同様に、明るさレベル算出部２３は、文字画像における少なくとも縁辺部の明るさレベル（明度値，輝度値）を、前述の式（１）〜（３）に基づいて算出する（ステップＡ６０）。
【００５８】
階調情報生成部２４は、文字画像に対して平滑化を行なった後、明るさレベル算出部２３によって算出された文字画像の明るさ（一端値）および背景画像の明るさレベル（他端値）に基づいて、階調化を行なうレンジ（一端値と他端値との間）を各色毎に設定し、このレンジ範囲で階調化（階調補正）を行なう（ステップＡ７０）。
【００５９】
そして、文字画像生成部１２ｂは、算出した３画素毎の平均画素値をそれぞれ表示サブエレメント１０に対応させることにより、ピクセル単位座標をＲ，Ｇ，Ｂの表示サブエレメント座標に変換する（ステップＡ８０）。
文字画像生成部１２ｂは、各表示サブエレメント１０に対する輝度値を算出して、この算出した輝度値を多階調メモリ（画像メモリ１３ｂ）に展開する（ステップＡ９０）。
【００６０】
計算手段１２（表示制御部２６）は、画像メモリ１３ｂに展開されている輝度値に従って各表示サブエレメント１０の発光状態を制御し、文字画像を成す各文字を表示器１４に表示する（ステップＡ１００）。
このように、本発明の第１実施形態としての表示装置１ａによれば、明るさレベル算出部２３によって算出された明るさレベルに基づいて、文字画像の明るさレベルを一端値とするとともに背景画像の明るさレベルを他端値として、これらの一端値と他端値との間を階調化することにより中間階調画像を生成するので、文字画像の縁辺部と背景画像との間において滑らかな階調化を行なうことができ、色文字を表示させる場合や文字を背景画像と表示させる場合においても、視認性の良い文字を表示することができる。
【００６１】
特に、文字画像色あるいは背景色によらず、表示装置のサブピクセル単位で階調を作成しても、文字又は背景、あるいは両者と文字画像縁辺部との接合部分が滑らかに接合するので、高精細な文字表示が可能になる。
さらに、表示部２のスペクトル特性として、ｓＲＧＢ規格に準拠した、式（３）の関係式を用いているので、本発明をｓＲＧＢ規格に準拠した汎用型の液晶表示器に提供することができる。
【００６２】
また、表示制御部２６が、各表示サブエレメント１０を３個の画素に対応させ３個の表示サブエレメント１０により３×３画素分の表示を行なわせるので、３個の表示サブエレメント１０によって複数画素分の表示を行なわせることができ、表示器１４（表示部２）においてより精細な文字画像を表示することができる。
【００６３】
さらに、表示制御部２６が、文字画像における文字サイズに対し長手方向に３倍かつ配列方向に３倍のサイズの同一文字を、３個の表示サブエレメント１０により１画素分の表示を行なわせることにより表示するための通常文字画像情報を取得する通常文字画像情報取得部４と、この通常文字画像情報取得部４により取得された通常文字画像情報に含まれる、長手方向に連続する３個の画素からなる画素列毎に、一の矩形表示サブエレメント１０を対応させ、３個の画素のそれぞれに与えられた画素値に基づいて一の矩形表示サブエレメント１０に対する輝度値を算出するエレメント輝度値算出部５とをそなえ、表示制御部２６が、エレメント輝度値算出部５により算出された輝度値に従って各矩形表示サブエレメント１０を制御し、文字画像を成す各文字を文字サイズで表示器１４に表示させることにより、一の矩形表示サブエレメント１０で３個の画素に対応して表示することができ、これによっても、表示器１４においてより精細な文字画像を表示することができる。
【００６４】
また、エレメント輝度値算出部５が、３個の画素のそれぞれに与えられた画素値の平均値を算出し、この平均値に基づいて一の矩形表示サブエレメント１０に対する輝度値を算出することにより、容易に矩形表示サブエレメント１０の輝度値を算出することができる。
（Ｂ）第２実施形態の説明
本発明の第２実施形態としての表示装置１ｂも、例えば、コンピュータシステム等にそなえられ、文字画像を背景画像とともに表示するものである。本第２実施形態の表示装置１ｂにおいては、情報取得部２１が、文字のフォントコード（プロパティ，属性情報；文字情報）を取得するようになっており、又、明るさレベル算出部２３が、情報取得部２１によって取得された文字のフォントコードに基づいて文字の明るさレベルを算出するようになっている他は、図１に示すように、第１実施形態の表示装置１ａと略同様の構成をそなえている。
【００６５】
図７は本発明の第２実施形態としての表示装置１ｂにおける計算手段１２の処理を説明するためのフローチャート（ステップＡ１０〜Ａ５０，Ｂ６０，Ａ７０〜Ａ１００）である。本第２実施形態の表示装置１ｂにおいては、明るさレベル算出部２３は、文字のプロパティに基づいて、各表示サブエレメントのデジタル値Ｒ，Ｇ，Ｂを取得し、前述の式（１）〜（３）に基づいて、文字の明るさレベル（明度値，発光輝度）を算出するのである（ステップＢ６０）。なお、図中、既述の符号と同一の符号をそなえたステップは同一もしくは略同一の処理を示しているので、その詳細な説明は省略する。
【００６６】
このように、本発明の第２実施形態としての表示装置１ｂによれば、上述した第１実施形態と同様の作用効果を得ることができる他、明るさレベル算出部２３が、フォントコードを用いて文字画像の明るさレベルを算出するようになっているので、入力手段１１等から計算手段１２へ送信する情報（文字情報）の伝送量を減らすことができ、システムの負担を軽減することができる他、処理を高速化することができる。
【００６７】
（Ｃ）第３実施形態の説明
本発明の第３実施形態としての表示装置１ｃも、例えば、コンピュータシステム等にそなえられ、文字画像を背景画像とともに表示するものである。本第３実施形態の表示装置１ｃにおいては、画像取得部２２が、文字部分と背景部分とを分離してそれぞれ取得するようになっている他は、図１に示すように、第１実施形態の表示装置１ａと略同様の構成をそなえている。
【００６８】
例えば、背景と文字とが表示された画像において、背景画像が１色で構成されている場合には、オペレータがキーボード１１ｂ等を用いてその背景色の値を入力し、画像取得部２２は、その入力された値を閾値として文字画像と背景画像とを分離する。又、背景画像が複数色から構成されている場合において、例えば、文字色の明度値が背景色に用いられているいずれの色よりも明度値が暗い場合には、画像取得部２２は、背景色における最も暗い背景の明度値を閾値として文字画像と背景画像とを分離するようになっている。なお、閾値の設定は、オペレータが行なってもよく、又、装置が行なってもよい。
【００６９】
また、文字画像と背景画像とはあらかじめ別々に構成されたデータとして提供されてもよく、この場合には、画像取得部２２は文字画像と背景画像とをそれぞれ容易に取得することができる。
図８は本発明の第３実施形態としての表示装置１ｃにおける計算手段１２の処理を説明するためのフローチャート（ステップＣ１０〜Ｃ４０，Ａ５０，Ｂ６０，Ａ７０〜Ａ１００）である。本第３実施形態の表示装置１ｃにおいては、入力手段１１から文字画像が入力された後（ステップＣ１０）、オペレータが、文字画像と背景画像とを分離するための閾値をキーボード１１ｂ等を用いて入力する（ステップＣ２０）
そして、画像取得部２２は、入力された閾値に基づいて、文字画像と背景画像とを分離する（ステップＣ３０）。明るさレベル算出部２３は、これら文字画像と背景画像とについて、それぞれ明るさレベルを算出するのである（ステップＣ４０）。なお、図中、既述の符号と同一の符号をそなえたステップは同一もしくは略同一の処理を示しているので、その詳細な説明は省略する。
【００７０】
このように、本発明の第３実施形態としての表示装置１ｃによれば、上述した第２実施形態と同様の作用効果を得ることができる他、画像取得部２２が文字画像と背景画像とを分離するようになっているので、背景画像と文字画像とを個別に処理することができるのでレイヤー化することができ利便性が高い。
（Ｄ）第４実施形態の説明
本発明の第４実施形態としての表示装置１ｄも、例えば、コンピュータシステム等にそなえられ、文字画像を背景画像とともに表示するものである。本第４実施形態の表示装置１ｄにおいては、画像取得部２２が、背景画像から文字の縁辺部分を計算により抽出し、明るさレベル算出部２３が、この抽出した縁辺部分の明るさレベルを算出するようになっている他は、図１に示すように、第１実施形態の表示装置１ａと略同様の構成をそなえている。
【００７１】
画像取得部２２は、入力された文字画像の輪郭を検出するのであるが、この輪郭の検出には、例えばハイパスフィルタを用いることができる。ハイパスフィルタは、高い周波数だけを抽出可能なフィルタであって、画像中における輝度変化の激しい部分を抽出することにより、輪郭抽出を容易に実現することができるものとして知られているものである。
【００７２】
本第４実施形態の表示装置１ｄにおいては、画像取得部２２は、このようなハイパスフィルタを用いて文字画像の輪郭成分を検出し、この輪郭の外部領域の近傍について表示色を検出し、背景色とするようになっている。
図９は本発明の第４実施形態としての表示装置１ｄにおける計算手段１２の処理を説明するためのフローチャート（ステップＣ１０，Ｄ２０〜Ｄ４０，Ａ５０，Ｂ６０，Ａ７０〜Ａ１００）である。本第４実施形態の表示装置１ｄにおいては、入力手段１１から文字画像が入力されると（ステップＣ１０）、画像取得部２２が、背景画像における文字の縁辺部を検出した後（ステップＤ２０）、その縁辺部の近傍の色を検出し（ステップＤ３０）、この検出した色を背景画像の背景色とするのである（ステップＤ４０）。なお、図中、既述の符号と同一の符号をそなえたステップは同一もしくは略同一の処理を示しているので、その詳細な説明は省略する。
【００７３】
このように、本発明の第４実施形態としての表示装置１ｄによれば、上述した第２実施形態と同様の作用効果を得ることができる他、画像取得部２２が入力された文字画像の輪郭を検出するようになっているので、背景画像が複数色から構成されている場合においても、対応することができるのである。
（Ｅ）第５実施形態の説明
図１０は本発明の第５実施形態としての表示装置の機能構成を示すブロック図である。本発明の第５実施形態としての表示装置１ｅも、第１実施形態の表示装置１ａと同様に、例えば、コンピュータシステム等にそなえられ、文字画像を背景画像とともに表示するものである。図１０に示すように、本第５実施形態の表示装置１ｅは、文字画像生成部２０ｅに指定部２５をそなえる他は、第１実施形態の表示装置１ａ（図１参照）と略同様の構成をそなえている。なお、図中、既述の符号と同一の符号は同一もしくは略同一の部分を示しているので、その詳細な説明は省略する。
【００７４】
指定部２５は、中間階調情報を生成する際における文字画像側もしくは背景側の明るさレベル（端値）を任意に指定するためのものであり、オペレータが任意の明るさレベルを指定・入力することができるものである。例えば、階調部分が白となる白抜き文字を表示したい場合には、オペレータは、この指定部２５を用いて背景側もしくは文字側の明るさレベルを白レベルとして指定するようになっている。又、階調部分が黒となる黒抜き文字を表示したい場合には、オペレータは、この指定部２５を用いて背景側もしくは文字側の明るさレベルを黒レベルとして指定するようになっている。
【００７５】
ここで、白レベルとは、階調化を行なう際に最も明るい明るさレベルのことをいい、例えば、８ビットで階調化を行なう場合には、デジタル値＝２５５がこの白レベルに相当する。一方、黒レベルとは、階調化を行なう際に最も暗い明るさレベル（明度）のことをいい、例えば、デジタル値＝０がこの黒レベルに相当する。なお、オペレータが指定可能な明るさレベルは白レベルもしくは黒レベルに限定されるものではなく、任意の明るさレベルを指定することができる。
【００７６】
階調情報生成部２４は、文字画像における縁辺部の明るさレベル（明度）を一端値とするとともに、指定部２５から指定された明るさレベル（明度）を他端値として、文字画像の明るさレベル（一端値）とこの他端値との間を階調化することにより中間階調情報（中間階調画像）を生成するようになっている。又、本第５実施形態の表示装置１ｅにおいては、明るさレベル算出部２３は、文字画像の明るさレベルのみを算出するようになっている。
【００７７】
図１１は本発明の第５実施形態としての表示装置１ｅにおける計算手段１２の処理を説明するためのフローチャート（ステップＡ１０〜Ａ４０，Ｅ５０，Ｂ６０，Ａ７０〜Ａ１００）である。本第５実施形態の表示装置１ｅにおいては、背景色を、例えば、白レベル（最大輝度レベル）もしくは黒レベルとして設定するとともに（ステップＥ５０）、明るさレベル算出部２３が、文字のプロパティに基づいて、各表示サブエレメントのデジタル値Ｒ，Ｇ，Ｂを取得し、前述の式（１）〜（３）に基づいて、文字の明るさレベル（明度値，発光輝度）を算出する（ステップＢ６０）。
【００７８】
そして、階調情報生成部２４は、文字画像に対して平滑化を行なった後、明るさレベル算出部２３によって算出された文字画像の明るさ（一端値）および背景画像の明るさレベル（白レベルもしくは黒レベル；他端値）に基づいて、階調化を行なうレンジ（一端値と他端値との間）を各色毎に設定し、このレンジ範囲で階調化を行なう（ステップＡ７０）。なお、図中、既述の符号と同一の符号をそなえたステップは同一もしくは略同一の処理を示しているので、その詳細な説明は省略する。
【００７９】
このように、本発明の第５実施形態としての表示装置１ｅによれば、上述した第２実施形態と同様の作用効果を得ることができる他、背景画像の明るさレベルを任意に設定することができ利便性が高い。特に、背景画像を白レベル（もしくは黒レベル）に設定することにより、文字の輪郭縁辺の階調部分が白レベルで表示されるので、意図的に白抜き文字（もしくは黒抜き文字）を容易に作成することができる。例えば、このような白抜き文字や黒抜き文字を作成することにより、文字強調を行なったり、写真へのレタッチ等の文字を背景画像から独立させたりすることができるのである。
【００８０】
（Ｆ）第６実施形態の説明
図１２は本発明の第６実施形態としての表示装置の機能構成を示すブロック図である。本発明の第６実施形態としての表示装置１ｆも、例えば、コンピュータシステム等にそなえられ、文字画像を背景画像とともに表示するものである。本第６実施形態の表示装置１ｆは、文字画像生成部２０ｆに切替レベル設定部２７をそなえる他は、第１実施形態の表示装置１ａ（図１参照）と略同様の構成をそなえている。なお、図中、既述の符号と同一の符号は同一もしくは略同一の部分を示しているので、その詳細な説明は省略する。
【００８１】
切替レベル設定部２７は、中間階調情報を生成する（階調処理を行なう）か否かの判断基準としての明るさレベルとしての切替基準レベル（明度）を設定するためのものであり、オペレータが、この切替レベル設定部２７を用いて任意の明るさレベル（明度）を切替基準レベルとして入力することができるようになっている。又、この切替レベル設定部２７から入力された切替基準レベルは、メモリやハードディスク等記録媒体（図示省略）に記録されるようになっている。
【００８２】
切替基準レベルは、オペレータが任意に設定・入力してもよく、又、本表示装置１ｆの工場出荷時等に所定値（デフォルト値）を設定してもよく、本発明の趣旨を逸脱しない範囲で種々変形して実施することができる。
そして、本第６実施形態の表示装置１ｆにおいては、階調情報生成部２４は、明るさレベル算出部２３によって算出された背景画像の明るさレベルが、切替レベル設定部２７によって設定された切替基準レベルを越えた場合に中間階調情報を生成し（階調処理を行なう）、背景画像の明るさレベルが所定の範囲内にある場合には、中間階調情報を生成しない（階調処理を行なわない）ようになっている。すなわち、本第６実施形態の表示装置１ｆにおいては、背景画像の明るさレベルに応じて階調処理を行なうようになっている。
【００８３】
背景と文字画像との明るさレベルが近い場合には、文字画像を認識しにくくなるので、このように、背景画像の明るさレベルが切替レベル設定部２７によって設定された切替基準レベルを越えない場合には、階調化を行なわないことが有効である。又、例えば、複数の背景色が同一画面もしくは複数ページにわたって連続する場合には、背景色によらずに背景色によらずに、一定の文字コントラストを保持した場合もあり、このような場合においても、背景画像の明るさレベルが切替レベル設定部２７によって設定された切替基準レベルを越えない場合には、階調化を行なわないことが有効である。
【００８４】
図１３は本発明の第６実施形態としての表示装置１ｆにおける計算手段１２の処理を説明するためのフローチャート（ステップＦ１，Ａ１０〜Ａ５０，Ｂ６０，Ｆ６２，Ａ７０〜Ａ１００）である。
オペレータ等は、予め、切替レベル設定部２７によって、階調化を行なうか否かの判断基準となる切替基準レベルを切替レベル設定部２７を用いて設定する（ステップＦ１）。
【００８５】
また、階調情報生成部２４は、明るさレベル算出部２３によって算出された背景画像の明るさレベルを、切替レベル設定部２７によって設定された切替基準レベルと比較して（ステップＦ６２）、背景色の明るさレベルが切替基準レベルよりも暗くない場合には（ステップＦ６２のＮＯルート参照）、ステップＡ７０に移行する。又、背景色の明るさレベルが切替基準レベルよりも暗い場合には（ステップＦ６２のＹＥＳルート参照）、ステップＡ８０に移行する。なお、図中、既述の符号と同一の符号をそなえたステップは同一もしくは略同一の処理を示しているので、その詳細な説明は省略する。
【００８６】
このように、本発明の第６実施形態としての表示装置１ｆによれば、上述した第２実施形態と同様の作用効果を得ることができる他、背景色の明るさレベルが文字色に近い場合に、文字が背景に埋没して見えにくくなることを防ぐことができる。
（Ｇ）第７実施形態の説明
図１４は本発明の第７実施形態としての表示装置の機能構成を示すブロック図である。本発明の第７実施形態としての表示装置１ｇも、例えば、コンピュータシステム等にそなえられ、文字画像を背景画像とともに表示するものである。図１４に示すように、本第７実施形態の表示装置１ｇは、文字画像生成部２０ｇに指定部２５および判断レベル設定部２９をそなえる他は、第１実施形態の表示装置１ａ（図１参照）と略同様の構成をそなえている。なお、図中、既述の符号と同一の符号は同一もしくは略同一の部分を示しているので、その詳細な説明は省略する。
【００８７】
本第７実施形態の表示装置１ｇにおいては、判断レベル指定部２９には、背景側の明るさレベルを指定部２５によって指定された明るさレベル（例えば、白レベルや黒レベル）を階調化の他端値とするか否かの判断基準としての任意の明るさレベル（明度）が判断基準レベルとして設定されるようになっている。又、この判断レベル設定部２７から入力された判断基準レベルは、メモリやハードディスク等記録媒体（図示省略）に記録されるようになっている。
【００８８】
判断基準レベルは、オペレータが任意に設定・入力してもよく、又、本表示装置１ｇの工場出荷時等に所定値（デフォルト値）を設定してもよく、本発明の趣旨を逸脱しない範囲で種々変形して実施することができる。
そして、本第７実施形態の表示装置１ｇにおいては、階調情報生成部２４は、明るさレベル算出部２３によって算出された背景画像の明るさレベルが、判断レベル設定部２７によって設定された判断基準レベルを越えた場合に、文字画像における縁辺部の明るさレベルを一端値とするとともに、指定部２５から指定された明るさレベルを他端値として、文字画像の明るさレベル（一端値）とこの他端値との間を階調化することにより中間階調情報（中間階調画像）を生成するようになっている。
【００８９】
例えば、背景色の明るさレベルが、判断基準レベルを超えて暗くなった場合に、階調化の最明値を白レベルにすることにより、背景画像がある程度の暗さ（もしくは明るさ）になった時に、文字が浮き出るように表示させるようになっている。
図１５は本発明の第７実施形態としての表示装置１ｇにおける計算手段１２の処理を説明するためのフローチャート（ステップＦ１，Ａ１０〜Ａ５０，Ｂ６０，Ｆ６２，Ｇ６３，Ａ７０〜Ａ１００）である。
【００９０】
本第７実施形態の表示装置１ｇにおいては、階調情報生成部２４が、明るさレベル算出部２３によって算出された背景画像の明るさレベルを、判断レベル設定部２９によって設定された判断基準レベルと比較して（ステップＦ６２）、背景色の明るさレベルが判断基準レベルよりも暗くない場合には（ステップＦ６２のＮＯルート参照）、ステップＡ７０に移行する。又、背景色の明るさレベルが判断基準レベルよりも暗い場合には（ステップＦ６２のＹＥＳルート参照）、背景色の明るさレベルを指定部２５によって指定された任意の明るさレベルに変更して（ステップＧ６３）、ステップＡ８０に移行する。なお、図中、既述の符号と同一の符号をそなえたステップは同一もしくは略同一の処理を示しているので、その詳細な説明は省略する。
【００９１】
このように、本発明の第７実施形態としての表示装置１ｇによれば、上述した第６実施形態と同様の作用効果を得ることができる他、背景色の明るさレベルが文字色に近い場合に、背景色の明るさレベルを指定部２５によって指定された任意の明るさレベルとして階調処理を行なうので、例えば、背景色の明るさレベルが、判断基準レベルを超えて暗くなった場合に、すなわち、背景画像がある程度の暗さ（もしくは明るさ）になった時に、階調化の最明値を白レベルにすることにより、文字が浮き出るように表示させることができ、文字が背景に埋没して見えにくくなることを防ぐことができる。
【００９２】
（Ｈ）第８実施形態の説明
図１６は本発明の第８実施形態としての表示装置の機能構成を示すブロック図である。本発明の第８実施形態としての表示装置１ｈも、例えば、コンピュータシステム等にそなえられ、文字画像を背景画像とともに表示するものである。図１６に示すように、本第８実施形態の表示装置１ｈは、文字画像生成部２０ｈに階調設定部２８をそなえる他は、第１実施形態の表示装置１ａ（図１参照）と略同様の構成をそなえている。なお、図中、既述の符号と同一の符号は同一もしくは略同一の部分を示しているので、その詳細な説明は省略する。
【００９３】
階調設定部２８は、背景画像の明るさレベルに応じて階調数を予め設定可能なものであって、例えば、図１７に示すような背景色の明るさレベルと階調数とを対応させて構成したテーブルをそなえて構成されている。
図１７は本発明の第８実施形態としての表示装置１ｈにおける階調数設定部２８がそなえるテーブルの例を示す図であり、この図１７に示すように、かかるテーブルは背景色の明るさレベルと階調数とを対応させて構成されたものである。
この図１７に示す例においては、背景色の明るさレベルが２００よりも大きい場合には階調数を２００とし、背景色の明るさレベルが１８０よりも大きく且つ２００以下の場合には階調数は１５０に、又、背景色の明るさレベルが１６０よりも大きく且つ１８０以下の場合には階調数を１００とするようになっている。なお、かかるテーブルは、ハードディスクやメモリ等の記憶媒体（図示省略）に予め設定されるようになっている。
【００９４】
そして、本第８実施形態の表示装置１ｈにおいては、階調情報生成部２４は、中間階調情報を生成（階調処理）する際には、階調情報生成部２４は、階調数設定部２８において設定されたテーブルに基づいて、その背景画像に合った階調数を取得し、その階調数で一端値と他端値との間を階調化するようになっている。
図１８は本発明の第８実施形態としての表示装置１ｈにおける計算手段１２の処理を説明するためのフローチャート（ステップＨ１，Ａ１０〜Ａ５０，Ｂ６０，Ｈ６１，Ａ７０〜Ａ１００）である。
【００９５】
本第８実施形態の表示装置１ｈにおいては、図１７に示すような、明るさレベルと階調数とを対応付けたテーブル（リスト）を予め記録媒体（図示省略）に記憶しておく（ステップＨ１）。
また、階調数設定部２８が、明るさレベル算出部２３によって算出された背景画像の明るさレベルに基づいて、前述したテーブルを参照してその背景色の明るさレベルに対応する階調数を取得し設定するようになっている（ステップＨ６１）。そして、ステップＡ７０においては、この階調数で階調処理を行なうのである。なお、図中、既述の符号と同一の符号をそなえたステップは同一もしくは略同一の処理を示しているので、その詳細な説明は省略する。
【００９６】
このように、本発明の第８実施形態としての表示装置１ｈによれば、上述した第２実施形態と同様の作用効果を得ることができる他、階調数設定部２８により、背景色の明るさレベルに合った最適な階調数を設定するので、背景色の明るさレベルに応じて階調レンジ内の階調数を制御することができ、背景色により階調レンジが狭小化した際の文字つぶれを防ぐことができ、文字の表示品質を向上させることができる。
【００９７】
（Ｉ）その他
上述した本願の発明においては、小視野における人間の視覚特性を利用し、文字縁辺部における階調成分を明るさレベル（明度）を基準に設定することで、前述した課題を解決している。
すでに、視角数分以下の場合、人間の目は色相の区別をすることが難しいことが知られている（小視野角における人間の視角特性；日本色彩学会編  「新編  色彩科学ハンドブック」  東京大学出版会）。すなわち、精細なＲＧＢ阻止を個別に観察する場合には、目の色覚域は狭小化する。
【００９８】
さて、本実施形態のごとく、矩形表示サブエレメント１０を、配列方向と直交する方向（長手方向）に連続するＭ個（本実施形態ではＭ＝３）の画素に対応させ、Ｎ個の矩形表示サブエレメント１０によりＭ×Ｎ（本実施形態では３×３）のマトリックス状画素群を表示させる場合には、文字縁辺部において階調を構成する部分の幅は、液晶画面の１画素以内となる。例えば、液晶表示装置の解像度が１００ＰＰＩ（Ｐｉｘｅｌ  ｐｅｒ  ｉｎｃｈ）の場合、３００ｍｍ離れた場所から液晶を観察すると、１画素は２．９分、色表示を行なうサブピクセルを見込む視角は１分程度となり、人間が色相を判断することは困難となる。
【００９９】
色相を検知できない場合、人間は、表示される明るさのみを検知する。検知する明度値（明るさレベル，光源系をそなえる表示装置における発光輝度）Ｌ＊は、前述の式（１）〜（３）によって表わすことができる。
これらの式（１）〜（３）を用いることにより、背景色、文字色の表示輝度を表示するＲＧＢサブエレメントによらず、明るさレベルに換算して表示することができるのである。
【０１００】
なお、本発明は上述した各実施形態に限定されるものではなく、本発明の趣旨を逸脱しない範囲で種々変形して実施することができる。
例えば、指定部２５から指定された明るさレベルを用いて中間階調情報を生成するか否かは、オペレータ等が任意に選択できるようにしてもよく、同様に、切替レベル設定部２７によって背一定された切替基準レベルを有効にするか否かについても、オペレータ等が任意に選択できるようにしてもよい。
【０１０１】
また、第３〜第８の各実施形態において、第１実施形態に示したように文字画像に基づいて文字色の明るさレベル（明度）を算出してもよい。
さらに、第１，第２，第５〜第８の各実施形態においても、第３実施形態に示したように文字画像と背景画像とを分離してもよく、又、第１，第２，第５〜第８の各実施形態においても、第４実施形態に示したように文字の輪郭を検出することにより背景画像を判断してもよい。
【０１０２】
また、第６〜第８実施形態においても、第５実施形態に示したように指定部２５をそなえてもよく、又、第１，第３〜第７実施形態においても、第８実施形態に示したように、階調数設定部２８をそなえてもよい。
さらに、上述した各実施形態においては、表示部２に表示させる文字の文字サイズが予め設定された基準サイズ以下であるか否かを判定し、その文字サイズが基準サイズ以下である場合にのみ、前述したようにＮ個の矩形表示サブエレメント１０によりＭ×Ｎ画素分（本実施形態では３×３画素分）の表示（精細表示モード）を行なわせ、その文字サイズが基準サイズよりも大きい場合には、Ｎ個の矩形表示サブエレメント１０で１画素分の表示（通常表示モード）を行なわせてもよい。
【０１０３】
また、上述した各実施形態においては、３個の表示サブエレメント１０、即ち、Ｒサブエレメント，ＧサブエレメントおよびＢサブエレメントに対する前記輝度値が同一である場合に、変換処理後の輝度値の比が０．６００±０．１００：０．３８４±０．１００：１．０００±０．１００となるように前記変換処理を行なう輝度値変換部をそなえてもよい。
【０１０４】
さらに、表示制御部２６が、各表示サブエレメント１０を、配列方向と直交する方向（長手方向；図５（ｂ）の上下方向）に連続する３個の画素に対応させ、３個の矩形表示サブエレメントにより３×３のマトリックス状画素群（正方格子）を表示させてもよい。
また、上述した各実施形態においてはＭ＝３，Ｎ＝３である場合について説明しているが、それに限定するものではなく、Ｍ，Ｎそれぞれ３以外の数値を用いてもよく、種々変形して実施することができる。
【０１０５】
さらに、上述した各実施形態においては本発明にかかる表示装置について説明しているが、それに限定するものではなく、表示部を成す各表示サブエレメントの発光状態を制御して表示部での表示を行なう表示方法や、表示部を成す各表示サブエレメントの発光状態を制御して表示部での表示状態を制御する表示制御装置、表示部を成す各表示サブエレメントの発光状態を制御して表示部での表示状態を制御する表示制御方法および文字画像を生成する文字画像生成装置であってもよい。
【０１０６】
さらにまた、上述した各実施形態における、表示部２，表示制御部２６，通常文字画像情報取得部４，エレメント輝度算出部５，情報取得部２１，画像取得部２２，明るさレベル算出部２３，階調情報生成部２４，階調文字表示制御部２６，指定部２５，切換レベル設定部２７，階調数設定部２８および判断レベル設定部２９は、コンピュータがプログラムを実行することにより実現されるものであり、これらの機能を実現するためのプログラムは、例えばフレキシブルディスク，ＣＤ−ＲＯＭ等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信回路を介してコンピュータに提供するようにしてもよい。
【０１０７】
なお、本発明の各実施形態が開示されていれば、当業者によって製造することが可能である。
（Ｊ）付記
（付記１）  文字画像を背景画像とともに表示可能な表示部をそなえた表示装置であって、
表示対象の文字に関する情報である文字情報を取得する情報取得部と、
該文字情報に基づいて文字画像を取得する文字画像取得部と、
該文字画像と該背景画像とのうちの少なくとも一方の明るさレベルを、該表示部のスペクトル特性に基づいて算出する明るさレベル算出部と、
前記算出された明るさレベルに基づいて中間階調情報を生成する階調情報生成部と、
該文字画像および該背景画像並びに該階調情報生成部によって生成された中間階調情報に基づいて、該表示部に多階調文字を表示する階調文字表示制御部とをそなえることを特徴とする、表示装置。
【０１０８】
（付記２）  該階調情報生成部が、前記算出された明るさレベルを階調化の端値として中間階調情報を生成することを特徴とする、付記１記載の表示装置。
（付記３）  該階調情報生成部が、該文字画像の明るさレベルを一端値とするとともに該背景画像の明るさレベルを他端値として、該一端値と該他端値との間を階調化することにより中間階調情報を生成することを特徴とする、付記２記載の表示装置。
【０１０９】
（付記４）  任意の明るさレベルを指定可能な指定部をそなえるとともに、
該階調情報生成部が、該文字画像の明るさレベルを一端値とするとともに、該指定部から指定された明るさレベルを他端値として、当該一端値と他端値との間を階調化することにより中間階調情報を生成することを特徴とする、付記２記載の表示装置。
【０１１０】
（付記５）  任意の明るさレベルを切替基準レベルとして設定可能な切替レベル設定部をそなえ、
該レベル算出部によって算出された該背景画像の明るさレベルが、該切替レベル設定部によって設定された該切替基準レベルを越えた場合に、該中間階調情報生成部が該中間階調情報を生成することを特徴とする、付記１〜付記４のいずれか１項に記載の表示装置。
【０１１１】
（付記６）  該階調情報生成部が、
該文字画像の明るさレベルを一端値とするとともに、
該レベル算出部によって算出された該背景画像の明るさレベルが、該切替レベル設定部によって設定された該切替基準レベルを越えない場合には、該背景画像の明るさレベルを他端値として、該一端値と当該他端値との間を階調化することにより該中間階調情報を生成し、
該レベル算出部によって算出された該背景画像の明るさレベルが、該切替レベル設定部によって設定された該切替基準レベルを越えた場合には、該中間階調情報生成部が、該指定部から指定された明るさレベルを他端値として、該一端値と当該他端値との間を階調化することにより該中間階調情報を生成することを特徴とする、付記５記載の表示装置。
【０１１２】
（付記７）  該背景画像の明るさレベルに応じて階調数を予め設定可能な階調数設定部をそなえ、
該階調情報生成部が、該階調情報設定部に設定された階調数に応じて中間階調情報を生成することを特徴とする、付記１〜付記６のいずれか１項に記載の表示装置。
【０１１３】
（付記８）  該情報取得部が、該文字情報として、少なくとも当該文字の属性情報を取得し、
該明るさレベル算出部が、該属性情報に基づいて当該文字画像の明るさレベルを算出することを特徴とする、付記１〜付記７のいずれか１項に記載の表示装置。
【０１１４】
（付記９）  該明るさレベル算出部が、該背景画像の平均値に基づいて該背景画像の明るさレベルを算出することを特徴とする、付記１〜付記８のいずれか１項に記載の表示装置。
（付記１０）  該明るさレベル算出部が、該文字画像における少なくともその縁辺部の明るさレベルに基づいて該背景画像の明るさレベルを算出することを特徴とする、付記１〜付記９のいずれか１項に記載の表示装置。
【０１１５】
（付記１１）  該表示部が、Ｎ個（Ｎは２以上の自然数）の表示サブエレメントを１画素に対応させて表示を行なうように構成され、
該表示部を成す各表示サブエレメントを制御して該表示部での表示状態を制御する表示制御部をそなえ、
該表示制御部が、各表示サブエレメントを１以上の画素に対応させて表示対象の表示を行なわせることを特徴とする、付記１〜付記１０のいずれか１項に記載の表示装置。
【０１１６】
（付記１２）  前記の各表示サブエレメントが矩形表示サブエレメントであり、該Ｎ個の矩形表示サブエレメントが、その長手方向を所定の配列方向に直交させた状態で前記配列方向へ連続的に配列されるとともに、
該表示制御部が、各矩形表示サブエレメントを、前記配列方向と直交する方向（前記長手方向）に連続するＭ個（Ｍは１以上の自然数）の画素に対応させ、該Ｎ個の矩形表示サブエレメントによりＭ×Ｎのマトリックス状画素群を表示させることを特徴とする、付記１１記載の表示装置。
【０１１７】
（付記１３）  該表示制御部が、
前記文字画像における文字サイズに対し前記長手方向にＭ倍かつ前記配列方向にＮ倍のサイズの同一文字を、該Ｎ個の表示サブエレメントにより１画素分の表示を行なわせることにより表示するための通常文字画像情報を取得する通常文字画像情報取得部と、
該通常文字画像情報取得部により取得された前記通常文字画像情報に含まれる、前記長手方向に連続するＭ個の画素からなる画素列毎に、一の矩形表示サブエレメントを対応させ、前記Ｍ個の画素のそれぞれに与えられた画素値に基づいて前記一の矩形表示サブエレメントに対する輝度値を算出するエレメント輝度値算出部とをそなえ、
該表示制御部が、該エレメント輝度値算出部により算出された前記輝度値に従って各矩形表示サブエレメントを制御し、前記文字画像を成す各文字を前記文字サイズで該表示部に表示させることを特徴とする、付記１２記載の表示装置。
【０１１８】
（付記１４）  該Ｎ個の矩形表示サブエレメントがそれぞれ異なる色の表示に供するものであり、
該Ｎ個の矩形表示サブエレメントが同一輝度値に対応する場合に同一明度となるように、各矩形表示サブエレメントに対する前記輝度値を、各矩形表示サブエレメントの明度特性に応じた輝度値に変換する変換処理を行なう輝度値変換部をそなえたことを特徴とする、付記１１記載の表示装置。
【０１１９】
（付記１５）  該表示部が、赤色，緑色および青色の３個のそれぞれ異なる色の表示に供する矩形表示サブエレメントをそなえて構成され（Ｎ＝３）、前記赤色を表示する矩形表示サブエレメントのデジタル値をＲ，前記緑色を表示する矩形表示サブエレメントのデジタル値をＧ、および前記青色を表示する矩形表示サブエレメントのデジタル値をＢとして、ＸＹＺ表色系のＹ刺激値をＹで表わす場合に、前記表示部のスペクトル特性が、
Ｙ＝ｐＲ＋ｑＧ＋ｒＢ
式において、ｐ：ｑ：ｒ＝０．２１２６±０．１：０．７１５２±０．１：０．０７２２±０．１を満たすことを特徴とする、付記１１〜付記１４のいずれか１項に記載の表示装置。
【０１２０】
（付記１６）  背景画像とともに表示部に表示する多階調文字を生成可能な文字画像生成装置であって、
表示対象の文字に関する情報である文字情報を取得する情報取得部と、
該文字情報に基づいて文字画像を取得する文字画像取得部と、
該文字画像と該背景画像とのうちの少なくとも一方の明るさレベルを、該表示部のスペクトル特性に基づいて算出する明るさレベル算出部と、
前記算出された明るさレベルに基づいて中間階調情報を生成する階調情報生成部と、
該文字画像および該背景画像並びに該階調情報生成部によって生成された中間階調情報に基づいて、前記表示部に表示する多階調文字を生成する階調文字生成部とをそなえることを特徴とする、文字画像生成装置。
【０１２１】
（付記１７）  文字画像を背景画像とともに表示部に表示する文字画像表示プログラムであって、
表示対象の文字に関する情報である文字情報を取得する情報取得ステップと、
該文字情報に基づいて文字画像を取得する文字画像取得ステップと、
該文字画像と該背景画像とのうちの少なくとも一方の明るさレベルを、該表示部のスペクトル特性に基づいて算出する明るさレベル算出ステップと、
前記算出された明るさレベルに基づいて中間階調情報を生成する階調情報生成ステップと、
該文字画像および該背景画像並びに中間階調情報に基づいて、該表示部に多階調文字を表示する階調文字表示制御ステップとを、コンピュータに実行させることを特徴とする、文字画像表示プログラム。
【０１２２】
（付記１８）  該階調情報生成ステップにおいて、前記算出された明るさレベルを階調化の端値として中間階調情報を生成することを特徴とする、付記１７記載の文字画像表示プログラム。
（付記１９）  該情報取得ステップにおいて、該文字情報として、少なくとも当該文字の属性情報を取得し、
該明るさレベル算出ステップにおいて、該属性情報に基づいて当該文字画像の明るさレベルを算出することを特徴とする、付記１７又は付記１８記載の文字画像表示プログラム。
【０１２３】
（付記２０）  該明るさレベル算出ステップにおいて、該背景画像の平均値に基づいて該背景画像の明るさレベルを算出することを特徴とする、付記１７〜付記１９のいずれか１項に記載の文字画像表示プログラム。
（付記２１）  該明るさレベル算出ステップにおいて、該文字画像における少なくともその縁辺部の明るさレベルに基づいて該背景画像の明るさレベルを算出することを特徴とする、付記１７〜付記２０のいずれか１項に記載の文字画像表示プログラム。
【０１２４】
（付記２２）  該表示部が、赤色，緑色および青色の３個のそれぞれ異なる色の表示に供する矩形表示サブエレメントをそなえて構成され（Ｎ＝３）、前記赤色を表示する矩形表示サブエレメントのデジタル値をＲ，前記緑色を表示する矩形表示サブエレメントのデジタル値をＧ、および前記青色を表示する矩形表示サブエレメントのデジタル値をＢとして、ＸＹＺ表色系のＹ刺激値をＹで表わす場合に、
前記表示部のスペクトル特性が、
Ｙ＝ｐＲ＋ｑＧ＋ｒＢ
式において、ｐ：ｑ：ｒ＝０．２１２６±０．１：０．７１５２±０．１：０．０７２２±０．１を満たすことを特徴とする、付記１７〜付記２１のいずれか１項に記載の文字画像表示プログラム。
【０１２５】
（付記２３）  文字画像を背景画像とともに表示部に表示する文字画像表示機能をコンピュータに実行させるための文字画像表示プログラムを記録したコンピュータ読取可能な記録媒体であって、
該文字画像表示プログラムが、
表示対象の文字に関する情報である文字情報を取得する情報取得ステップと、
該文字情報に基づいて文字画像を取得する文字画像取得ステップと、
該文字画像と該背景画像とのうちの少なくとも一方の明るさレベルを、該表示部のスペクトル特性に基づいて算出する明るさレベル算出ステップと、
前記算出された明るさレベルに基づいて中間階調情報を生成する階調情報生成ステップと、
該文字画像および該背景画像並びに中間階調情報に基づいて、該表示部に多階調文字を表示する階調文字表示制御ステップとを、該コンピュータに実行させることを特徴とする、文字画像表示プログラムを記録したコンピュータ読取可能な記録媒体。
【０１２６】
（付記２４）  該階調情報生成ステップにおいて、前記算出された明るさレベルを階調化の端値として中間階調情報を生成することを特徴とする、付記２３記載の文字画像表示プログラムを記録したコンピュータ読取可能な記録媒体。
（付記２５）  該情報取得ステップにおいて、該文字情報として、少なくとも当該文字の属性情報を取得し、
該明るさレベル算出ステップにおいて、該属性情報に基づいて当該文字画像の明るさレベルを算出することを特徴とする、付記２３又は付記２４記載の文字画像表示プログラムを記録したコンピュータ読取可能な記録媒体。
【０１２７】
（付記２６）  該明るさレベル算出ステップにおいて、該背景画像の平均値に基づいて該背景画像の明るさレベルを算出することを特徴とする、付記２３〜付記２５のいずれか１項に記載の文字画像表示プログラムを記録したコンピュータ読取可能な記録媒体。
（付記２７）  該明るさレベル算出ステップにおいて、該文字画像における少なくともその縁辺部の明るさレベルに基づいて該背景画像の明るさレベルを算出することを特徴とする、付記２３〜付記２６のいずれか１項に記載の文字画像表示プログラムを記録したコンピュータ読取可能な記録媒体。
【０１２８】
（付記２８）  該表示部が、赤色，緑色および青色の３個のそれぞれ異なる色の表示に供する矩形表示サブエレメントをそなえて構成され（Ｎ＝３）、前記赤色を表示する矩形表示サブエレメントのデジタル値をＲ，前記緑色を表示する矩形表示サブエレメントのデジタル値をＧ、および前記青色を表示する矩形表示サブエレメントのデジタル値をＢとして、ＸＹＺ表色系のＹ刺激値をＹで表わす場合に、
前記表示部のスペクトル特性が、
Ｙ＝ｐＲ＋ｑＧ＋ｒＢ
式において、ｐ：ｑ：ｒ＝０．２１２６±０．１：０．７１５２±０．１：０．０７２２±０．１を満たすことを特徴とする、付記２３〜付記２７のいずれか１項に記載の文字画像表示プログラムを記録したコンピュータ読取可能な記録媒体。
【０１２９】
（付記２９）  文字画像を背景画像とともに表示部に表示する文字画像表示方法であって、
表示対象の文字に関する情報である文字情報を取得する情報取得ステップと、
該文字情報に基づいて文字画像を取得する文字画像取得ステップと、
該文字画像と該背景画像とのうちの少なくとも一方の明るさレベルを、該表示部のスペクトル特性に基づいて算出する明るさレベル算出ステップと、
前記算出された明るさレベルに基づいて中間階調情報を生成する階調情報生成ステップと、
該文字画像および該背景画像並びに中間階調情報に基づいて、該表示部に多階調文字を表示する階調文字表示制御ステップとをそなえることを特徴とする、文字画像表示方法。
【０１３０】
【発明の効果】
以上詳述したように、本発明の表示装置，文字画像生成装置，文字画像表示プログラム，文字画像表示プログラムを記録したコンピュータ読取可能な記録媒体および文字画像表示方法によれば、以下の効果ないし利点がある。
（１）文字画像の縁辺部と背景画像との間において滑らかな階調化を行なうことができ、色文字を表示させる場合や文字を背景画像と表示させる場合においても、視認性の良い文字を表示することができ、精細な文字画像を表示することができる（請求項１〜請求項５）。
【０１３１】
（２）任意の明るさレベルを指定可能にし、文字画像の明るさレベルを一端値とするとともに、指定部から指定された明るさレベルを他端値として、これらの一端値と他端値との間を階調化することによって中間階調情報を生成することにより、例えば白抜き文字等として表示させて文字強調を行なったり、写真へのレタッチ等の文字を背景画像から独立させたりすることを容易に行なうことができる。
【０１３２】
（３）算出された背景画像の明るさレベルが、切替基準レベルを越えた場合に、中間階調情報を生成することにより、例えば背景色の明るさレベルが文字色に近い場合に、文字が背景に埋没して見えにくくなることを防ぐことができる。
（４）文字画像の明るさレベルを一端値とするとともに、背景画像の明るさレベルが、切替レベル設定部によって設定された切替基準レベルを越えない場合には、背景画像の明るさレベルを他端値として、これらの一端値と他端値との間を階調化することにより中間階調情報を生成し、背景画像の明るさレベルが、切替基準レベルを越えた場合には、指定された明るさレベルを他端値として、一端値と他端値との間を階調化することにより、これによっても、例えば背景色の明るさレベルが文字色に近い場合に、文字が背景に埋没して見えにくくなることを防ぐことができる。
【０１３３】
（５）背景画像の明るさレベルに応じて階調数を予め設定し、この設定された階調数に応じて中間階調情報を生成することにより、背景画像の明るさレベルに応じた階調数で階調処理を行なうことができる。
（６）文字の属性情報に基づいてこの文字画像の明るさレベルを算出することにより、情報（文字情報）の伝送量を減らすことができ、システムの負担を軽減することができる他、処理を高速化することができる。
【０１３４】
（７）背景画像の平均値に基づいて背景画像の明るさレベルを算出することにより、背景画像が複数色からの構成されている場合においても、高速に背景画像の明るさレベルを算出することができる。
（８）文字画像における少なくともその縁辺部の明るさレベルに基づいて該背景画像の明るさレベルを算出することにより、背景画像が複数色からの構成されている場合においても、精細な文字画像を表示することができる。
【０１３５】
（９）表示部のスペクトル特性が、
Ｙ＝ｐＲ＋ｑＧ＋ｒＢ
式において、ｐ：ｑ：ｒ＝０．２１２６±０．１：０．７１５２±０．１：０．０７２２±０．１を満たすので、ｓＲＧＢ規格に準拠した汎用型の液晶表示器に提供することができる。
【図面の簡単な説明】
【図１】本発明の第１実施形態としての表示装置の機能構成を示すブロック図である。
【図２】本発明の第１実施形態としての表示装置のハードウェア構成を示すブロック図である。
【図３】本発明の第１実施形態としての表示装置の表示部を拡大して示す図である。
【図４】作成する文字画像と使用する通常文字画像とを比較して示す図である。
【図５】（ａ）は文字画像を構成する各画素の座標を示す図、図５（ｂ）は各表示サブエレメントの表示座標を示す図である。
【図６】本発明の第１実施形態としての表示装置の計算手段の処理を説明するためのフローチャートである。
【図７】本発明の第２実施形態としての表示装置の計算手段の処理を説明するためのフローチャートである。
【図８】本発明の第３実施形態としての表示装置の計算手段の処理を説明するためのフローチャートである。
【図９】本発明の第４実施形態としての表示装置の計算手段の処理を説明するためのフローチャートである。
【図１０】本発明の第５実施形態としての表示装置の機能構成を模式的に示すブロック図である。
【図１１】本発明の第５実施形態としての表示装置における計算手段の処理を説明するためのフローチャートである。
【図１２】本発明の第６実施形態としての表示装置の機能構成を示すブロック図である。
【図１３】本発明の第６実施形態としての表示装置における計算手段の処理を説明するためのフローチャートである。
【図１４】本発明の第７実施形態としての表示装置の機能構成を示すブロック図である。
【図１５】本発明の第７実施形態としての表示装置における計算手段の処理を説明するためのフローチャートである。
【図１６】本発明の第８実施形態としての表示装置の機能構成を示すブロック図である。
【図１７】本発明の第８実施形態としての表示装置における階調数設定部がそなえるテーブルの例を示す図である。
【図１８】本発明の第８実施形態としての表示装置における計算手段の処理を説明するためのフローチャートである。
【図１９】従来の文字画像表示手法による文字画像の表示例を示す図である。
【符号の説明】
１ａ，１ｂ，１ｃ，１ｄ，１ｅ，１ｆ，１ｇ，１ｈ  表示装置
２  表示部
４  通常文字画像情報取得部
５  エレメント輝度値算出部
１０  矩形表示サブエレメント（表示サブエレメント）
１１  文字入力手段
１１ａ  文書ファイル
１１ｂ  キーボード
１２  計算手段
１２ａ  フォント選択部
１２ｂ  文字画像生成部
１２ｃ  階調化処理部
１３  記憶装置
１３ａ  フォントメモリ
１３ｂ  画像メモリ
１３ｃ  表示器スペクトル情報（スペクトル特性）
１３ｄ  背景色，文字色情報
１４  表示器（表示部）
１５  輝度レベル変調器
２０ａ，２０ｅ，２０ｆ，２０ｇ，２０ｈ  文字画像生成部
２１  情報取得部
２２  画像取得部
２３  明るさレベル算出部
２４  階調情報生成部
２６  表示制御部（階調文字表示制御部）
２５  指定部
２７  切換レベル設定部
２８  階調数設定部
２９  判断レベル設定部
１００  表示エレメント
【図１】
2004177887.tif 000003
【図２】
2004177887.tif 000004
【図３】
2004177887.tif 000005
【図４】
2004177887.tif 000006
【図５】
2004177887.tif 000007
【図６】
2004177887.tif 000008
【図７】
2004177887.tif 000009
【図８】
2004177887.tif 000010
【図９】
2004177887.tif 000011
【図１０】
2004177887.tif 000012
【図１１】
2004177887.tif 000013
【図１２】
2004177887.tif 000014
【図１３】
2004177887.tif 000015
【図１４】
2004177887.tif 000016
【図１５】
2004177887.tif 000017
【図１６】
2004177887.tif 000018
【図１７】
2004177887.tif 000019
【図１８】
2004177887.tif 000020
【図１９】
2004177887.tif 000021